(57)【要約】【課題】近傍に基盤やリード線を設けることが困難な場所においても設置可能な発光する装飾装置を提供する。【解決手段】特別入賞口６ｄの正面側に、遊技球の通過空間５６を介して、板状の装飾基板２が配置される。装飾基板５２の正面側にＥＬ素子５４が貼り付けられ、遊技盤３の背面側に設けられた切換装置によって適宜発光させられる。【選択図】  図２
2008229146.tif 000002
【特許請求の範囲】
【請求項１】
遊技球が遊技領域内を流下する弾球遊技機に設けられる装飾装置であって、
遊技領域内に配置された装飾基板と、
前記装飾基板の表面に沿って付設され、通電により発光するシート状発光体と、
前記遊技領域の外側に設けられ、前記シート状発光体の通電を、通電状態と非通電状態との切換を行なう切換手段とを備えたことを特徴とする装飾装置。
【請求項２】
前記装飾基板と遊技盤面との間に遊技球が通過し得る通過空間を有する請求項１に記載の装飾装置。
【請求項３】
前記装飾基板は、
前記装飾基板の表面に沿って形成され、前記シート状発光体を収容する収容部と、
前記収容部内の前記シート状発光体の一部が露出する露出部とを有する請求項１又は２に記載の装飾装置。
【請求項４】
前記シート状発光体は、遊技球が接触しない部分の表面に付設されている請求項１〜３のいずれか１に記載の装飾装置。
【請求項５】
さらに、入賞口が装飾基板に対向する遊技盤面に設けられている請求項２〜４のいずれか１に記載の装飾装置。
【発明の詳細な説明】
【技術分野】
【０００１】
本発明は、装飾ユニットに係り、詳しくは、電源回路と発光部分とを別に有する装飾装置に関するものである。
【背景技術】
【０００２】
周知のように、パチンコ遊技においては、遊技機に装備されている遊技盤面の遊技領域に設けられている各種入賞口にパチンコ球が入賞すると、その入賞口に設定されている所定数の賞球が払出されるようになっている。また、近年の遊技機には、演出や報知を目的とする発光装置や音響装置が各部に配設されており、所定のタイミングで視覚や聴覚に訴える演出が行われる。  
ここで、視覚に訴える演出には、発光ダイオードを用いた演出装置や液晶表示装置等が用いられる。これらの装置は、電気的に駆動する構成となっているため、光源となる素子は、配線基盤等に設けられており、遊技機内に配設する際には、基盤やリード線等と一体として配置されることとなる。
【０００３】
従って、このため、発光素子を設けることのできる場所は、視認できない場所に基盤やリード線を設けることができる位置に限られ、たとえば特許文献１に示されているように、普通電動役物の内部や、特許文献２に示されているように、大入賞口の内部にＬＥＤを設けるといった手法がとられている。
【特許文献１】特開２００３−１１７０８９号
【特許文献２】特開２００３−１９２９６号
【発明の開示】
【発明が解決しようとする課題】
【０００４】
しかし、上記従来の手法では、背面側に遊技球が通過する装飾基材や、ゲートの側面などには、リード線や基盤を隠す場所がなく、発光する素子を直接設けることはできないため、これらの部分を報知部や演出部材として使用することができないといった問題があった。
【０００５】
この発明の目的は、近傍に基盤やリード線を設けることが困難な場所においても発光体を設置可能な装飾装置を提供することにある。
【課題を解決するための手段】
【０００６】
以上のような問題を解決する本発明は、以下のような構成を有する。  
（１）  遊技球が遊技領域内を流下する弾球遊技機の遊技領域内に設けられる装飾装置であって、
遊技領域内に配置された装飾基板と、
前記装飾基板の表面に沿って付設され、通電により発光するシート状発光体と、
前記遊技領域の外に設けられ、前記シート状発光体の通電を、通電状態と非通電状態との切換を行なう切換手段とを備えたことを特徴とする装飾装置。
【０００７】
（２）  前記装飾基板と遊技盤面との間に遊技球が通過し得る通過空間を有する上記（１）に記載の装飾装置。
【０００８】
（３）  前記装飾基板は、
前記装飾基板の表面に沿って形成され、前記シート状発光体を収容する収容部と、
前記収容部内の前記シート状発光体の一部が露出する露出部とを有する上記（１）又は（２）に記載の装飾装置。
【０００９】
（４）  前記シート状発光体は、遊技球が接触しない部分の表面に付設されている上記（１）〜（３）のいずれか１に記載の装飾装置。
【００１０】
（５）さらに、入賞口が装飾基板に対向する遊技盤面に設けられている上記（２）〜（４）のいずれか１に記載の装飾装置。
【発明の効果】
【００１１】
請求項１に記載の発明によれば、装飾基板の表面に沿ってシート状発光体が配置され、かつ切換手段は遊技領域の外側に設けられているので、基板と一体として駆動電源を供給する回路を設けることなく、発光する板状体としての装飾部品を得ることができる。  
請求項２に記載の発明によれば、発光する板材として構成されているので、特に遊技盤面との間に遊技球が通過し得る通過空間を有する装飾基板として用いることができる。
【００１２】
請求項３に記載の発明によれば、装飾基板の収容部にシート状発光体を収容し、露出部からシート状発光体が露出する構成とすれば、シート状発光体の形状を変更することなく、露出部の形状を変更することで、所望の装飾形状を得ることができ、高価なシート状発光体の形状を変更することが不要となる。
【００１３】
請求項４に記載の発明によれば、シート状発光体には流下する遊技球が接触しないので、シート状発光体の破損が抑制される。また、シート状発光体が遊技球に接触することによって、遊技球の軌道に影響も与えない。  
請求項５に記載の発明によれば、入賞口の正面側に装飾基板を設けて、発光による装飾を実施することが可能となる。
【発明を実施するための最良の形態】
【００１４】
図１は、本実施形態における遊技機を示す図である。以下、本明細書において、遊技機の遊技者が配置される側を正面、前面又は前側として表現し、遊技者の配置位置に対して反対側を背面、後面又は後側とし、図１に示されているような正面視において、左右方向をＹ軸方向、前後方向をＸ軸方向、鉛直方向をＺ軸方向と定義し、右方向をＹ軸方向の正方向、前側から後側へ向かう方向をＸ軸方向の正方向、鉛直下方へ向かう方向をＺ軸の正方向と定義する。
【００１５】
図１において弾球遊技機１００は、外郭方形枠サイズに形成されて縦長の固定保持枠を構成する外枠１の開口前面に、外枠１に合わせて方形枠サイズに形成された開閉搭載用の前枠２を備えている。  
前枠２は、外枠１の正面左側上下に取り付けられたヒンジ金具３Ａ、３Ｂにより外枠１に対して開閉可能に取り付けられ、さらに、外枠１の正面右側に設けられた施錠装置１２によって閉鎖状態に保持されるようになっている。
【００１６】
前枠２の上部領域には、遊技盤３が配置されており、遊技盤３は、所定板厚の積層合板の裏側にセルを貼り付けてルーター（役物取り付け孔）加工した化粧板を基板とし、その前面側には図示しないが、環状に取り付けられたガイドレールに囲まれて画成された円形状の遊技領域６が設けられている。  
遊技領域６には、略中央部に表示装置として図柄変動表示装置６ｊが設置される窓部で構成された表示部６ａが設けられている。表示部６ａの周りには装飾部材６Ｂや、始動入賞口６ｃ、および特別入賞口６ｄ、その他入賞口６ｋ、６ｍ、６ｎなどがそれぞれ配置されている。遊技領域下部にはアウト球を回収するアウト口６ｅも設けられており、始動入賞口６ｃや特別入賞口６ｄに入賞せずに落下したアウト球を遊技盤３の背面側から機外に排出できるようになっている。
【００１７】
また、前枠２の前面上部側には、遊技盤３を視認できるように透明なガラス板を備えたガラス枠７０が水平方向に開閉可能かつ着脱可能に設けられ、通常は、施錠装置１２により閉鎖状態に保持されて遊技盤３の前面を覆っている。  
前枠２の前面下部側でガラス枠７０の下方には、皿ユニット７０１が、前枠２に開閉支持されている背面板（図示されず）に取り付けられて設けてある。皿ユニット７０１は、図示しない施錠装置により通常、閉鎖状態に保持されている。皿ユニット７０１は、球受け皿を構成している球貯留部７０１ａと、球貯留部７０１ａの正面左側下部に設けられた灰皿７０１ｂと、球貯留部７０１ａの正面右側下部に設けられた発射ハンドル７０１ｃと、操作装置としてのボタン７０１ｄとを有している。
【００１８】
次に特別入賞口６ｄと、特別入賞口６ｄに付設された装飾ユニットについて詳説する。図２は、特別入賞口６ｄの開閉機構を備えた入賞口ユニット４と、装飾ユニット５とを示す全体斜視図、図３は、同じく正面図、図４は、同じく分解斜視図である。  
特別入賞口６ｄは、遊技盤３の盤面に固定される台板４０に形成された通過口４２と、通過口４２の下端辺側に揺動自在に支持された開閉部材４３とを備え、開閉部材４３を開閉駆動させる駆動装置を内蔵した筐体４１が背面側に設けられている。
【００１９】
開閉部材４３は、前側に倒れて遊技盤面上に突出し、通過口４２を開放した開放状態と、遊技盤面に平行な姿勢となり通過口４２を閉鎖する閉鎖状態との間で揺動する。開閉部材４３の揺動は、駆動装置４１内に設けられたソレノイドによって行われる。  
開閉部材４３の開放状態では、開閉部材４３上に遊技球が落下すると、開閉部材４３によって通過口４２内へ遊技球が導かれ、筐体４１内に設けられた特別入賞口センサ６ｄｓによって、入賞が検出される。
【００２０】
台板４０の両端には、普通図柄変動表示装置２６４ｄと、特別図柄表示装置４０１が設けられている。また、台板４０の下縁には、アウト口６ｅが重なる切欠４０２が形成されている。  
特別入賞口６ｄの正面側には、装飾ユニット５が設けられている。装飾装置５は、特別入賞口６ｄの両端外側に設けられた一対の支持部５１ａ、５１ｂと、支持部５１ａ、５１ｂの間に架設された装飾基板５２と、支持部５１ａ、５１ｂの外側に覆い被せられる被覆材５３ａ、５３ｂと、シート状発光体としてのＥＬ（electroluminescence）素子５４と、ＥＬ素子５４に駆動電力を供給し通電と非通電の間で切り換え制御する切換回路とを備えている。この実施形態では、切換回路は、既述の筐体４１内に設けられており、開閉部材４３の開閉状態に応じて切り替わる構成となっている。一対の支持部５１ａ、５１ｂと装飾基板５２とは、同一の材料で一体形成されている。
【００２１】
ＥＬ素子５４は、装飾基板５２とほぼ同じ形状に形成され、装飾基板５２の正面側面に重ねられ、固定されている。装飾基板５２とＥＬ素子５４には、それぞれ中央に横長のスリット５２２、５４２が形成されており、開閉部材４３が開放状態の際には、開閉部材４３上に落下した遊技球が視認できる構成となっている。  
ＥＬ素子５４は、装飾基板５２と特別入賞口６ｄとの間に形成された通過空間５６に対して、その反対側（正面側）の側面に設けられているので、遊技球が接触することがない。このため、ＥＬ素子５４の破損が抑制される。またＥＬ素子５４は、シート状であるため、平面であれば重ね合わせることが可能であり、電源回路や回路基板を付設することなく、平滑面を有する部材の表面に設けることができる。ＥＬ素子５４の端部には、駆動電流を供給する一対の端子５４１が突出し、リード線が接続されている。ＥＬ素子５４は、正面側を発光面として装飾基板５２に貼り付けられている。
【００２２】
ＥＬ端子５４のリード線は、支持部５１ａの表面に形成された溝５１１内に収容され、台板４０を挿通して遊技盤３の背面側へ引き出され、筐体４１内に設けられている切換装置に接続されている。切換手段としての切換装置は、ＥＬ端子５４に駆動電流を供給するとともに、開閉部材４３の開放状態に応じて回路のオン／オフを行う。  
また、流下する遊技球の軌道は、遊技領域内に配置される釘及び役物等に接触することにより、所定の軌道をとるべく予め設計されているが、遊技球が接触しない部分にＥＬ素子５４を設けることで、ＥＬ素子５４に遊技球が接触し、設計軌道に大きな影響を与えることが防止される。
【００２３】
支持部５１ａ、５１ｂの基端は、台板４０に、台板４０を背面側から挿通するネジ５５ａ、５５ｂによって、それぞれ固定されている。  
支持部５１ａ、５１ｂは、被覆材５３ａ、５３ｂによって覆われ、ＥＬ端子５４のリード線は、この被覆材５３ａによって隠される。  
装飾基板５２を透明な材料で構成し、ＥＬ素子５４の発光面を装飾基板５２側に向けて貼り付けることにより、特別入賞口６ｄをＥＬ素子５４により照らす構成とすることもできる。その結果、遊技球の軌跡の視認性が向上し、また、特別入賞口６ｄの開閉状態の視認性が良好となる。
【００２４】
以上のように構成された装飾ユニット５の発光部５２と特別入賞口６ｄとの間には、遊技球が通過し得る通過空間５６が形成される。以上説明した装飾装置５によれば、通過空間５６の正面側に位置するガラス枠７０のガラス板と遊技領域６との間の極めて狭い空間に、装飾基板５２を配置することができる。このようにＥＬ素子５４を貼り付けることにより、発光する装飾部材を配置できる領域を広げることができる。
【００２５】
次に他の実施形態の本発明について説明する。図５は、入賞口ユニット８を示す全体斜視図である。入賞口ユニット８は、入賞口６ｃを構成する球受部材８１と、入賞した遊技球を遊技盤３の背面側に誘導する誘導路８３と、球受部材８１の下側に設けられた普通電動役物８４とを供えている。普通電動役物８４は、羽根６ｈ、６ｈを、左右に開いた開放状態（入球を容易とする状態）と、閉じた閉鎖状態とに切り換える球誘導装置２６５ｄを備え、羽根６ｈ、６ｈの正面側には、前板８５が設けられている。
【００２６】
図６は、入賞口ユニット８において、遊技盤上に露出部分を示す分解斜視図である。球受部材８１の正面側側面が装飾基板８０として機能し、この装飾基板８０の前側面に、装飾基板８０と同形状に形成されたＥＬ素子９ａが貼り付けられる。ＥＬ素子９ａには、あらかじめ所望の模様が施され、ＥＬ素子９ａの発光によって模様が浮き出る構成となっている。装飾基板８０の背面側に始動入賞口６ｃが設けられる構成となり、ＥＬ素子９ａを貼り付けることで、薄板で、かつ小面積である装飾基板８０を発光する装飾部材として構成することができる。
【００２７】
一方、前板８５は装飾基板として機能する。前板８５は、基板８５１と被覆板８５２とを重ね合わせて構成されている。基板８５１には凹部が形成され、被覆板８５２を重ねることで、下側に開放された収容部８５５が構成される。被覆板８５２には、所望の形状に形成された窓によって、露出部８５３が形成されている。基板８５１に被覆板８５２を重ねることにより、収容部８５５が構成される。図７は、前板８５の断面側面図である。収容部８５５に下側からＥＬ素子９ｂを挿入することによって、前板８５にＥＬ素子９ｂを付設する構成となっている。この場合、ＥＬ素子９ｂの発光によって、露出部８５３の形状が浮き上がり、装飾効果が発揮される。
【００２８】
次に、本遊技機における遊技制御を行う遊技制御手段について説明する。
【００２９】
図８において、遊技制御手段２００は、遊技の進行や演出等を含む弾球遊技機１００全体を統括制御する手段である。遊技制御手段２００は、演算等を行うＣＰＵと、遊技の進行等に必要なプログラムや演出用のデータ等を記憶しておくＲＯＭと、ＣＰＵが各種の制御を行うときに、取り込んだデータ等を一時的に記憶しておくＲＡＭ等とを備える。遊技制御手段２００は、遊技盤３の背面側に設けられた制御基板上に設けられている。ここで、遊技制御手段２００は、１つの制御基板上に限らず、複数の制御基板上にわたって設けられていても良い。遊技制御手段２００は、本実施形態では、以下の各手段を備える。
【００３０】
（入賞球検出手段）
入賞球検出手段２１は、始動入賞口６ｃ及び特別入賞口６ｄに遊技球が入賞したときに、その入賞を検出するものである。これらの始動入賞口６ｃ及び特別入賞口６ｄには、それぞれ始動入賞口センサ６ｃｓ及び特別入賞口センサ６ｄｓが設けられ、それぞれ入賞球検出手段２１に電気的に接続されている。  
(抽選手段)
抽選手段２２は、入賞球検出手段２１により、始動入賞口６ｃへの遊技球の入賞が検出されたことを条件として、可変表示手段である図柄変動表示装置６ｊに表示する停止図柄に関する抽選を行うものであり、本実施形態では、▲１▼当選／非当選の有無、▲２▼図柄変動表示装置６ｊの図柄の変動表示後の停止図柄、及び▲３▼図柄の変動表示中の変動パターンの抽選を行う。抽選手段２２は、これらの▲１▼〜▲３▼の抽選を行うべく、当たり抽選手段２２ａと、停止図柄抽選手段２２ｂと、変動パターン抽選手段２２ｃとを備える。
【００３１】
（当たり抽選手段）
当たり抽選手段２２ａは、本実施形態では、当たり判定用乱数発生手段と、当たり判定用乱数取得手段と、当たり判定手段とを備える。  
当たり判定用乱数発生手段は、制御プログラム等によって所定の周期（例えば、１６ビット乱数による０〜６５５３５の周期）を有する当たり判定用乱数を発生させる。当たり判定用乱数取得手段は、当たり判定用乱数発生手段によって発生した当たり判定用乱数のうち１の当たり判定用乱数を、所定の時、本実施形態では始動入賞口センサ６ｃｓから送信された検出信号を入賞球検出手段２１が受信した時に取得する。  
当たり判定手段は、当たり判定用乱数取得手段により取得された当たり判定用乱数に基づいて、当選であるか非当選であるかを判定する。  
当選と判定された場合には、後述する演出画像制御手段２７にコマンドを送る。
【００３２】
（停止図柄抽選手段）
停止図柄抽選手段２２ｂは、当たり抽選手段２２ａの当たり判定手段の判定結果に基づいていて、図柄変動表示装置６ｊに停止表示すべき停止図柄を抽選するものである。  
(変動パターン抽選手段)
変動パターン抽選手段２２ｃは、図柄変動表示装置６ｊに表示すべき図柄の変動パターンを抽選するものである。  
当たり抽選手段２２ａの当たり判定手段での判定手段での判定結果に基づいて、複数種類の図柄の変動パターンを記憶したデータテーブルを参照して、いずれか１つの変動パターンを選択する。
【００３３】
(図柄表示制御手段)
図柄表示制御手段２３は、始動入賞口６ｃへの遊技球の入賞により、入賞球検出手段２１が検出信号を受信したことを条件として、図柄変動表示装置６ｊの図柄の変動表示及び停止表示を行うように制御するものである。  
（特別遊技制御手段）
特別遊技制御手段２４は、当たり抽選手段２２ａの当たり判定用乱数取得手段により取得された当たり判定用乱数が当選図柄変動表示装置６ｊにより停止表示された図柄が当選図柄(例えば「７７７」)となった場合に、特別遊技に移行させ、その終了条件を満たすまで特別遊技を実行するものである。ここで「特別遊技」とは、通常遊技以上に遊技球が入賞しやすい状態が作り出され、具体的には、特別入賞口６ｄが開放され、遊技球を受け入れ易い状態になることで、それまで以上に賞球の獲得が期待できる遊技である。特別入賞口６ｄを開放する際には、装飾装置５のＥＬ素子５４の発光パターンを通常遊技状態のパターンから変更するように構成することもできる。例えば、光源の発色を変更し、あるいは点滅の間隔を変動させるなどである。
【００３４】
（球搬出制御手段）
球搬出制御手段２５は、賞球の払出し等を行うための球搬出装置２５ｄの駆動を制御するものである。上述したように、始動入賞口センサ５７及び特別入賞口センサ６ｄｓからの検出信号を入賞球検出手段２１が受信したときに、その入賞に対応する数の賞球を払い出すように、球搬出装置２５ｄを制御する。球搬出装置２５ｄは、駆動されると、球を弾球遊技機１の皿７０１ａに払い出す。
【００３５】
（普通図柄制御手段）
普通図柄制御手段２６は、上述した普通図柄変動表示装置２６４ｄの変動表示及び停止表示を制御するためのものであり、以下の各手段を備える。  
（入球検出手段）
入球検出手段２６２は、有効となっている普通図柄始動口６ｉを遊技球が通過したときに、それを検出するものである。  
普通図柄始動口６ｉを遊技球が通過すると、普通図柄始動口センサ６ｉｓから、そのときの検出信号が入球検出手段２６２に送信される。この検出信号を受信したときに、入球検出手段２６２は、普通図柄始動口６ｉを遊技球が通過したことを検出する。
【００３６】
（普通図柄抽選手段）
普通図柄抽選手段２６３は、有効となっている普通図柄始動口６ｉを遊技球が通過したことを条件として、普通図柄変動表示装置２６４ｄに停止表示すべき図柄を抽選によって決定するものである。  
普通図柄抽選手段２６３は、上述した当たり抽選手段２２ａと同様に、当たり判定用乱数発生手段と当たり判定用乱数値取得手段と、当たり判定手段とを備える。
【００３７】
（普通図柄変動制御手段）
普通図柄変動制御手段２６４は、普通図柄変動口６ｉを遊技球が通過したときに、普通図柄抽選手段２６３の抽選結果に基づいて、普通図柄変動表示装置２６４ｄの図柄の変動表示及び停止表示を行うように制御するものである。  
普通図柄変動制御手段２６４は、普通図柄変動表示装置２６４ｄの図柄を所定時間変化させ後、最終的には普通図柄抽選手段２６３によって決定された図柄を普通図柄変動表示装置２６４ｄに停止表示させる。
【００３８】
（球誘導装置制御手段）
球誘導装置制御手段２６５は、普通図柄抽選手段２６３の抽選結果に基づいて、球誘導装置２６５ｄの作動を制御するものである。具体的には、普通図柄抽選手段２６３による抽選で当選したときは、球誘導装置２６５ｄを作動させるように制御する。これと逆に、普通図柄抽選手段２６３による抽選で非当選であったときは、球誘導装置２６５を作動させない。球誘導装置２６５ｄが作動した場合には、これに連動して、ＥＬ素子５４が発光させられる。  
（演出画像制御手段）
演出画像制御手段２７は、図柄変動表示装置６ｊに表示される演出画像を制御する。  
演出画像制御手段２７は、当たり抽選手段２２ａにより、当選の旨のコマンドを受け取った場合には、図柄変動表示装置６ｊに表示される演出画像を選択し、これを表示する。
【００３９】
（切換手段）
切換手段は、ＥＬ素子５４に供給する駆動電流のオン／オフの切り換えを行う。切換手段は、点灯時間と消灯時間を適宜変更する制御も行うことができ、選択された演出画像に応じて、ＥＬ素子５４の発光パターンを変更することができる。例えば、遊技状態に応じた点滅パターンを選択する構成とすることができる。例えば、特別入賞口６ｄが開放されている場合には、ＥＬ素子５４の点滅速度を速くする。或いは、リーチ演出時には、演出画像に関連つけられた発色に変更する装飾を行う等である。
【図面の簡単な説明】
【００４０】
【図１】本発明の装飾装置を有する弾球遊技機の全体正面図である。
【図２】本発明の装飾装置の全体斜視図である。
【図３】本発明の装飾装置の全体正面図である。
【図４】本発明の装飾装置の分解斜視図である。
【図５】入賞口ユニットの全体斜視図である。
【図６】入賞口ユニットの分解斜視図である。
【図７】入賞口ユニットの前板部分の断面側面図である。
【図８】遊技制御手段の構成を示すブロック図である。
【符号の説明】
【００４１】
１００  弾球遊技機
１  外枠
１２  施錠装置
２  前枠
３  遊技盤
３Ａ、３Ｂ  ヒンジ金具
５  装飾ユニット
５１  支持部
５２  装飾基板
５３  被覆部材
５４  ＥＬ素子
５６  通過空間
６  遊技領域
６ａ  表示部
６ｃ  始動入賞口
６ｄ  特別入賞口
７０  ガラス枠
８  入賞口ユニット
【図１】
2008229146.tif 000003
【図２】
2008229146.tif 000004
【図３】
2008229146.tif 000005
【図４】
2008229146.tif 000006
【図５】
2008229146.tif 000007
【図６】
2008229146.tif 000008
【図７】
2008229146.tif 000009
【図８】
2008229146.tif 000010